(57)【要約】本発明は、移動通信端末本体、メインプロセッサ及び電源を供給するための充電電池を備える移動通信端末を提供する。前記メインプロセッサに接続される移動通信端末本体は、ベゼルレスタッチスクリーンを有し、、メインプロセッサは、前記移動通信端末本体の表示とトリガ動作とを制御するする。移動通信端末本体及び前記メインプロセッサは、いずれも前記充電電池に接続され、充電電池はリチウムチタン複合グラフェン電池である。本発明の移動通信端末は、移動通信端末の充電時間を短縮させるとともに、移動通信端末が高温または高冷状態で長期間使用不可の問題を解決して、該移動通信端末は、軍隊など特殊な場合に応用できる、また、移動通信端末の環境適応性、通用性及び耐久性を高めた。
2019522431.tif 000002
【特許請求の範囲】
【請求項１】
ベゼルレスタッチスクリーンを有する移動通信端末本体と、
前記移動通信端末本体に接続され、前記移動通信端末本体の表示とトリガ動作を制御するためのメインプロセッサと、及び
電源を供給し、前記移動通信端末本体及び前記メインプロセッサに接続される、リチウムチタン複合グラフェン電池である充電電池とを備える、ことを特徴とする移動通信端末。
【請求項２】
前記移動通信端末本体は、第１の移動通信端末本体と、前記第１の移動通信端末本体の背面に配置される第２の移動通信端末本体とを備え、
前記メインプロセッサ、前記充電電池は、前記第１の移動通信端末本体と前記第２の移動通信端末本体との間に配置され、前記第１の移動通信端末本体、前記第２の移動通信端末本体は、いずれも前記メインプロセッサ及び前記充電電池に接続される、ことを特徴とする請求項１に記載の移動通信端末。
【請求項３】
前記第１の移動通信端末本体は、第１のタッチスクリーン、第１の回路基板及び第１のカバープレートを備え、前記第２の移動通信端末本体は、第２のタッチスクリーン、第２の回路基板及び第２のカバープレートを備え、
前記第１のタッチスクリーン、前記第１の回路基板及び前記メインプロセッサは、順に接続され、前記第１のタッチスクリーンは、第１のタッチ信号を受信し、前記第１の回路基板を介して前記メインプロセッサに送信し、
前記第２のタッチスクリーン、前記第２の回路基板及び前記メインプロセッサは、順に接続され、前記第２のタッチスクリーンは、第２のタッチ信号を受信し、前記第２の回路基板を介して前記メインプロセッサに送信し、
前記メインプロセッサは、前記第１のタッチ信号に基づいて、前記第１の移動通信端末本体が対応するトリガ動作を実現するように、且つ前記第２のタッチ信号に基づいて、前記第２の移動通信端末本体が対応するトリガ動作を実現するように制御し、又は前記メインプロセッサは、前記第１のタッチ信号または前記第２のタッチ信号に基づいて、前記第１の移動通信端末本体と前記第２の移動通信端末本体とが対応するトリガ動作を同期して実現するように制御する、ことを特徴とする請求項２に記載の移動通信端末。
【請求項４】
前記第１のカバープレートには、前記第１の回路基板に接続される第１のボタンが配置され、
前記第２のカバープレートには、前記第２の回路基板に接続される第２のボタンが配置される、ことを特徴とする請求項３に記載の移動通信端末。
【請求項５】
前記第１の移動通信端末本体と、前記第２の移動通信端末本体との間に接続される回動接続部をさらに備え、
前記第１の移動通信端末本体が前記回動接続部を介して前記第２の移動通信端末本体に対して回転する角度は１８０度以上であるか、または前記第２の移動通信端末本体が前記回動接続部を介して前記第１の移動通信端末本体に対して回転する角度は１８０度以上である、ことを特徴とする請求項３に記載の移動通信端末。
【請求項６】
前記第１の移動通信端末本体が前記第２の移動通信端末本体に対して１８０度回動したり、または前記第２の移動通信端末本体が前記第１の移動通信端末本体に対して１８０度回動した場合、前記第１のタッチスクリーンと前記第２のタッチスクリーンとは、同一平面に位置し、前記第１のタッチスクリーンと前記第２のタッチスクリーンとは、一体に合併され、前記メインプロセッサは、前記第１のタッチ信号または前記第２のタッチ信号に基づいて、前記第１の移動通信端末本体と前記第２の移動通信端末本体とが同期動作化されるように制御する、ことを特徴とする請求項５に記載の移動通信端末。
【請求項７】
前記第１の移動通信端末と第２の移動通信端末を接続する接続線が内蔵される前記回動接続部は、ヒンジ構造または回転軸構造である、ことを特徴とする請求項５に記載の移動通信端末。
【請求項８】
前記第１の移動通信端末本体のネットワークタイプは、２Ｇ、３Ｇ及び４Ｇを含み、前記第２の移動通信端末本体のネットワークタイプは、２Ｇ、３Ｇ及び４Ｇを含む、ことを特徴とする請求項１〜７のいずれか一項に記載の移動通信端末。
【請求項９】
前記第１の移動通信端末本体は、デュアルスタンバイの移動通信端末本体であり、前記第２の移動通信端末本体も、デュアルスタンバイの移動通信端末本体である、ことを特徴とする請求項１〜７のいずれか一項に記載の移動通信端末。
【請求項１０】
前記第１の移動通信端末本体、前記第２の移動通信端末本体は、携帯電話本体またはｉｐａｄ本体である、ことを特徴とする請求項１〜７のいずれか一項に記載の移動通信端末。
【発明の詳細な説明】
【技術分野】
【０００１】
本願は、２０１６年０３月２５日に出願し、出願番号が２０１６１０１７６１４１.８であり、発明の名称が「移動通信端末」である中国特許出願を優先権として主張し、そのすべての内容を参照として本願に援用する。
【０００２】
本発明は、スマート電子機器の技術分野に関し、特に移動通信端末に関する。
【背景技術】
【０００３】
今、スマート移動通信端末は、一つの小型のパーソナルコンピュータのように、通信、財テク、娯楽などの様々な機能を一体化し、これらの多機能により、人々の大画面についての要求が増加される。電子メールを送受信したり、ニュースコンテンツを見たりすることを問わず、高画質の移動通信端末の大画面は、基本的に現代の移動通信端末の主流となっている。移動通信端末の使用がますます広がって、人ごとに２台または３台の移動通信端末を持ち、公的業務用、個人業務用、家庭用などに分かれ、毎日移動通信端末を数台持って行って、不便で、安全でもない。また、現在の移動通信端末のバッテリーは、高冷または高温の分野で応用されることができず、例えば、一般的な移動通信端末は、マイナス４０℃、マイナス５０摂氏度の環境で動作できない、５５℃、６０℃などの高温環境でも長期間動作できず、移動通信端末の通用性と耐久性が比較的に劣る。
【発明の概要】
【０００４】
従来技術の現状に鑑み、本発明は、移動通信端末を提供して、移動通信端末の通用性と耐久性を高めることを目的とする。
【０００５】
上述した目的を実現するために、本発明は、以下のような技術方案を用いる。
【課題を解決するための手段】
【０００６】
移動通信端末は、
ベゼルレスタッチスクリーンを有する移動通信端末本体と、
前記移動通信端末本体に接続され、前記移動通信端末本体の表示とトリガ動作を制御するためのメインプロセッサと、及び
電源を供給し、前記移動通信端末本体及び前記メインプロセッサに接続される、リチウムチタン複合グラフェン電池である充電電池を備える。
【０００７】
一つの実施例において、前記移動通信端末本体は、第１の移動通信端末本体と、前記第１の移動通信端末本体の背面に配置される第２の移動通信端末本体とを備え、
前記メインプロセッサ、前記充電電池は、前記第１の移動通信端末本体と前記第２の移動通信端末本体との間に配置され、前記第１の移動通信端末本体、前記第２の移動通信端末本体は、いずれも前記メインプロセッサ及び前記充電電池に接続される。
【０００８】
一つの実施例において、前記第１の移動通信端末本体は、第１のタッチスクリーン、第１の回路基板及び第１のカバープレートを備え、前記第２の移動通信端末本体は、第２のタッチスクリーン、第２の回路基板及び第２のカバープレートを備え、
前記第１のタッチスクリーン、前記第１の回路基板及び前記メインプロセッサは、順に接続され、前記第１のタッチスクリーンは、第１のタッチ信号を受信し、前記第１の回路基板を介して前記メインプロセッサに送信し、
前記第２のタッチスクリーン、前記第２の回路基板及び前記メインプロセッサは、順に接続され、前記第２のタッチスクリーンは、第２のタッチ信号を受信し、前記第２の回路基板を介して前記メインプロセッサに送信し、
前記メインプロセッサは、前記第１のタッチ信号に基づいて、前記第１の移動通信端末本体が対応するトリガ動作を実現するように、且つ前記第２のタッチ信号に基づいて、前記第２の移動通信端末本体が対応するトリガ動作を実現するように制御し、又は前記メインプロセッサは、前記第１のタッチ信号または前記第２のタッチ信号に基づいて、前記第１の移動通信端末本体と前記第２の移動通信端末本体が対応するトリガ動作を同期して実現するように制御する。
【０００９】
一つの実施例において、前記第１のカバープレートには、前記第１の回路基板に接続される第１のボタンが配置され、
前記第２のカバープレートには、前記第２の回路基板に接続される第２のボタンが配置される。
【００１０】
一つの実施例において、前記第１の移動通信端末本体と、前記第２の移動通信端末本体との間に接続される回動接続部をさらに備え、
前記第１の移動通信端末本体が前記回動接続部を介して前記第２の移動通信端末本体に対して回転する角度は１８０度以上であるか、または前記第２の移動通信端末本体が前記回動接続部を介して前記第１の移動通信端末本体に対して回転する角度は１８０度以上である。
【００１１】
一つの実施例において、前記第１の移動通信端末本体が前記第２の移動通信端末本体に対して１８０度回動したり、または前記第２の移動通信端末本体が前記第１の移動通信端末本体に対して１８０度回動した場合、前記第１のタッチスクリーンと前記第２のタッチスクリーンとは、同一平面に位置し、前記第１のタッチスクリーンと前記第２のタッチスクリーンとは、一体に合併され、前記メインプロセッサは、前記第１のタッチ信号または前記第２のタッチ信号に基づいて、前記第１の移動通信端末本体と前記第２の移動通信端末本体とが同期動作化されるように制御する。
【００１２】
一つの実施例において、前記第１の移動通信端末と第２の移動通信端末を接続する接続線が内蔵される前記回動接続部は、ヒンジ構造または回転軸構造である。
【００１３】
一つの実施例において、前記第１の移動通信端末本体のネットワークタイプは２Ｇ、３Ｇ及び４Ｇを含み、前記第２の移動通信端末本体のネットワークタイプは２Ｇ、３Ｇ及び４Ｇを含んでいる。
【００１４】
その一つの実施例において、前記第１の移動通信端末本体は、デュアルスタンバイの移動通信端末本体であり、前記第２の移動通信端末本体も、デュアルスタンバイの移動通信端末本体である。
【００１５】
一つの実施例において、前記第１の移動通信端末本体、前記第２の移動通信端末本体は、携帯電話本体、またはｉｐａｄ本体である。
【００１６】
本発明の有益な効果は、以下の通りである。
【発明の効果】
【００１７】
本発明の移動通信端末は、リチウムチタン複合グラフェン電池が電池容量が大きく、放電率が大きく充電が速いなどの特徴を持つので、リチウムチタン複合グラフェン電池を充電電池に使用して、移動通信端末に電力を供給することにより、移動通信端末の充電時間を短縮させるとともに、移動通信端末が高温または高冷状態で長期間使用不可の問題を解決して、該移動通信端末は、軍隊などの特殊な場合に応用できる。また、移動通信端末の環境適応性、通用性、及び耐久性を高めるとともに、お互いに対向して配置される第１の移動通信端末本体及び第２の移動通信端末本体により、該移動通信端末のデュアルスクリーン表示を実現することで、ユーザが携帯する移動通信端末の数量を減らし、使用便利になる。
【図面の簡単な説明】
【００１８】
【図１】図１は、本発明の移動通信端末の実施例による全体概略図である。
【図２】図２は、図１の移動通信端末の側面図である。
【図３】図３は、本発明の移動通信端末の実施例による閉状態時の構造概略図である。
【図４】図４は、本発明の移動通信端末の実施例による開状態時の構造概略図である。
【発明を実施するための形態】
【００１９】
本発明の技術方案をより明確にするために、以下、添付された図面を結合して、本発明の移動通信端末をより詳細に説明する。ここで、説明される具体的な実施例は、本発明を解釈するためのものに過ぎず、本発明を限定するものではない。互いに矛盾しない状況で、本発明の実施例及び実施例の特徴を、互いに組み合わせることができる。
【００２０】
図１に示すように、本発明の実施例は、移動通信端末本体、メインプロセッサ３００、及び電源を供給するための充電電池４００を備え、移動通信端末本体が、ベゼルレスタッチスクリーンを有することで、移動通信端末本体の可視面積が増加される移動通信端末を提供する。移動通信端末本体は、メインプロセッサ３００に接続され、具体的には、ベゼルリースタッチスクリーンは、メインプロセッサ３００に接続され、メインプロセッサ３００は、タッチスクリーンにより受信されるタッチ信号に基づいて、移動通信端末本体の表示とトリガ動作を制御する。移動通信端末本体とメインプロセッサ３００は、いずれも移動通信端末全体に電力を供給するための充電電池４００に接続され、本実施例において、充電電池４００は、リチウムチタン複合グラフェン電池であることが好ましい。
【００２１】
リチウムチタン複合グラフェン電池は、チタン酸リチウム材料を使用して電池の負極を製造し、その自体はサイクル回数が多く、-４５℃〜６０℃の環境で使用可能な特徴を持つので、該リチウムチタン複合グラフェン電池は、電池容量が大きく、放電率が大きく充電が速いなどの特徴を持つ。リチウムチタン複合グラフェン電池を充電電池に使用して、移動通信端末に電力を供給することにより、移動通信端末の充電時間を短縮させた。該当移動通信端末は、６分以内にフル充電が可能なものと実験により確認された。同時に、リチウムチタン複合グラフェン電池を使用することにより、移動通信端末が高温または高冷状態で長期間使用不可の問題を解決して、該移動通信端末は-５０℃〜６０℃の環境でも長期間使用できるようになった。使用寿命は１０年に達することができる。従って、移動通信端末の環境適応性、通用性、及び耐久性が向上され、本実施例による移動通信端末は、特殊な応用（現地調査チームなど）及び軍隊に適用することができる。
【００２２】
本実施例において、リチウムチタン複合グラフェン電池は、独自の製造の改善型リチウムチタン複合グラフェン電池を使用してもよく、他の実施例において、リチウムチタン複合グラフェン電池は、外部で購入された他のグラフェン電池を使用してもよい。以下、独自の製造の改善型リチウムチタン複合グラフェン電池の負極の製造過程であり、具体的には以下のようなステップを含んでいる。
【００２３】
ステップ１において、グラフェンとＮ-メチルピロリドン及び分散剤をグラフェンとＮＭＰとの混合比が１：９９〜１０：９０である質量比に混合する。
【００２４】
ステップ２において、 ステップ１で投入した材料をデュアル遊星ミキサーで３０〜６０分間撹拌する。
【００２５】
ステップ３において、第２の段階で混合を完了した後、グラフェンペーストを研削機に投入して、ジルコニアでグラフェンペースを分散し研削する。
【００２６】
ステップ４において、グラフェンペーストの研削を完了した後、デュアル遊星ミキサーに投入し、チタン酸リチウム材料を投入して、混合し攪拌する。
【００２７】
ステップ５において、攪拌を完了した後、噴霧乾燥機に投入して、３００℃〜４００℃の高温で噴霧乾燥を行う。
【００２８】
ステップ６において、噴霧乾燥を完了した後、高温炉に投入して、８００〜１５００℃の高温でか焼を行う。
【００２９】
ステップ７において、材料のか焼を完了した後、冷却を行い、予備する。
【００３０】
ステップ８において、溶剤及び接着剤を投入して、分散し攪拌し、溶剤としては、通常、ＮＭＰ（Ｎ-メチルピロリドン）または水を使用して、接着剤としては、通常、ＰＶＤＦ（ポリビニリデンフルオライド）またはＣＭＣ（カルボキシメチルセルロース）を使用し、接着剤と溶剤との混合比は、２：９８〜１０：９０である。
【００３１】
ステップ９において、接着剤の分散を完了した後、コーティングされたチタン酸リリュム材料を投入して撹拌し、製造を完了する。
【００３２】
更なる改善点として、本実施例の移動通信端末本体は、第１の移動通信端末本体１００及び第２の移動通信端末本体２００を備え、第２の移動通信端末本体２００は、第１の移動通信端末本体１００の背面に設けられ、メインプロセッサ３００と充電電池４００は、第１の移動通信端末本体１００と第２の移動通信端末本体２００との間に設けられ、第１の移動通信端末本体１００、第２の移動通信端末本体２００は、いずれもメインプロセッサ３００及び充電電池４００とに接続され、メインプロセッサ３００は、第１の移動通信端末本体１００及び第２の移動通信端末本体２００の動作を制御する。本実施例において、第１の移動通信端末本体１００と第２の移動通信端末本体２００は、携帯電話本体、ｉｐａｄ本体またはその他の移動通信機能を持つスマート端末である。
【００３３】
本実施例において、メインプロセッサ３００は、該移動通信端末の情報処理効率を高めるために、デュアルコアまたはクアッドコアプロセッサであってもよい。もちろん、該メインプロセッサ３００は、さらに、第１の移動通信端末本体１００の動作を制御するための第１のプロセッサと、第２の移動通信端末本体２００の動作を制御するための第２のプロセッサと、及び第１のプロセッサと第２のプロセッサとの同期動作または独立動作を制御するためのコントローラとを備えてもよい。
【００３４】
第１の移動通信端末本体１００は、第１のタッチスクリーン１１０、第１の回路基板１２０及び第１のカバープレート１３０を含み、第２の移動通信端末本体２００は、第１の移動通信端末本体１００の背面に設けられ、第２の移動通信端末本体２００は、第２のタッチスクリーン２１０、第２の回路基板２２０及び第２のカバープレート２３０を備え、第１のタッチスクリーン１１０は前記第２のタッチスクリーン２１０の背面と対向して配置られ、かつ第１のタッチスクリーン及び第２のタッチスクリーンは、いずれもベゼルレスタッチスクリーンである。
【００３５】
明らかにすべきことは、ここで、第１の移動通信端末本体１００の背面とは、具体的に、第１のタッチスクリーン１１０の背面、すなわち第１のカバープレート１３０の、充電電池４００及びメインプロセッサ３００に接触する一側面であり、第２の移動通信端末本体２００の背面とは、具体的に、第２のタッチスクリーン２１０の背面、すなわち第２のカバープレート２３０の、充電電池４００とメインプロセッサ３００に接触される一側面である。
【００３６】
図１及び図２に示すように、上から下に、第１のタッチスクリーン１１０、第１の回路基板１２０、第１のカバープレート１３０、及びメインプロセッサ３００、第２のカバープレート２１０、第２の回路基板２２０、第２のタッチスクリーン２３０が、順に配置される。第１のタッチスクリーン１１０、第１の回路基板１２０及びメインプロセッサ３００は、順に接続され、第１のタッチスクリーン１１０は、ユーザにより入力される第１のタッチ信号を受信し、第１の回路基板１２０を介してメインプロセッサ３００に送信する。第２のタッチスクリーン２１０、第２の回路基板２２０及びメインプロセッサ３００は、順に接続され、第２のタッチスクリーン２１０は、第２のタッチ信号を受信し、第２の回路基板２２０を介してメインプロセッサ３００に送信する。
【００３７】
メインプロセッサ３００は、第１のタッチ信号に基づいて、第１の移動通信端末本体１００が対応するトリガ動作を実現するように制御し、第２のタッチ信号に基づいて、第２の移動通信端末本体２００が対応するトリガ動作を実現するように制御する。つまり、メインプロセッサ３００は、第１の移動通信端末本体１００及び第２の移動通信端末本体がそれぞれ独立動作するように制御する。このとき、第１の移動通信端末本体１００、メインプロセッサ３００及び充電電池４００は、一つの移動通信端末に相当し、第２の移動通信端末本体２００、メインプロセッサ３００及び充電電池は、他の一つの移動通信端末に相当し、これにより、ユーザが携帯する移動通信端末の数量を減らし、便利に使用されることができる。
【００３８】
例えば、メインプロセッサ３００のコントローラは、受信される独立動作命令に基づいて、第１の移動通信端末本体１００と第２の移動通信端末本体２００が独立動作するように制御し、独立動作命令は、ユーザがタッチスクリーンやボタンを介して入力した独立動作信号であっでもよい。その後、メインプロセッサ３００の第１のプロセッサは、第１のタッチ信号に基づいて、第１の制御信号を生成し出力し、第１の回路基板１２０での対応される回路モジュール及び第１のタッチスクリーン１１０は、受信される第１の制御信号に基づいて、第１のタッチ信号に対応されるトリガ動作を実現することで、第１の移動通信端末本体１００の制御を実現する。メインプロセッサ３００の第２のプロセッサは、第２のタッチ信号に基づいて、第２の制御信号を生成し出力し、第２の回路基板２２０での対応される回路モジュール及び第２のタッチスクリーン２１０は、受信される第２の制御信号に基づいて、第２のタッチ信号に対応するトリガ動作を実現することで、第２の移動通信端末本体２００の制御を実現する。
【００３９】
または、メインプロセッサ３００は、第１のタッチ信号または第２のタッチ信号に基づいて、第１の移動通信端末本体１００と第２の移動通信端末本体２００が対応するトリガ動作を同期して実現するように制御する。例えば、メインプロセッサ３００のコントローラは、受信さえる同期動作命令に基づいて、第１の移動通信端末本体１００と第２の移動通信端末本体２００とが同期動作されるように制御し、同期動作命令は、ユーザにより入力されるタッチ信号またはボタン信号であってもよい。その後、メインプロセッサ３００のコントローラは、第１のプロセッサと第２のプロセッサとが同期動作されるように制御し、このとき、第１のプロセッサは第２のプロセッサと合体され、一つの統一的全体に相当する。メインプロセッサ３００は、第１のタッチ信号または第２のタッチ信号に基づいて、第３制御信号を生成し、第３制御信号は、第１の移動通信端末本体１００と第２の移動通信端末本体２００が、対応するトリガ動作を同期して実現するように制御する。
【００４０】
ここで、第１の回路基板１２０は、第１の移動通信端末本体１００の基本的な機能を実現するためのものであり、第２の回路基板２２０は、第２の移動通信端末本体２００の基本的な機能を実現するためのものであり、第１の回路基板１２０と第２の回路基板２２０は、いずれもメモリモジュール、ＲＦ回路、ベースバンドチップとベースバンド信号処理回路、ＳＩＭカードインターフェース回路、オーディオ/ビデオ処理回路、画像処理回路、検出回路、位置決め回路及び電源管理回路を備える。第１のカバープレート１３０は、第１の回路基板１３０の電子素子が破損されないように保護し、メインプロセッサ３００と充電電池が外部に露出されることを避けるためのもである。第２のカバープレート２３０は、第２の回路基板２２０上の電子素子が破損しないように保護し、メインプロセッサ３００と充電電池が外部に露出されることを避けるためのものである。
【００４１】
より詳しくは、第１のカバープレート１３０に第１のボタン１３１が配置され、第１のボタン１３１は第１の回路基板１２０に接続され、第１のボタン１３１は、第１の回路基板１２０に配置され且つ第１のボタン１３１に対応する第１のボタンの回路を介してメインプロセッサ３００に接続され、メインプロセッサ３００は、第１のボタン１３１の動作に基づいて、第１の移動通信端末本体１００が対応するトリガ動作を実現するように制御することにも用いられる。例えば、第１のボタン１３１は、電源オン・オフボタン、音量調節ボタンなどを備えてもよい。
【００４２】
第２のカバープレート２３０に第２のボタン２３１が配置され、第２のボタン２３１は第２の回路基板２２０に接続され、第２のボタン２３１は、第２の回路基板２２０に配置され且つ第２のボタン２３１に対応する第２のボタンの回路を介してメインプロセッサ３００に接続され、メインプロセッサ３００は、第２のボタン２３１の動作に基づいて、第２の移動通信端末本体２００が対応するトリガ動作を実現するように制御することにも用いられる。例えば、第２のボタン２３１は、電源オン・オフボタン、音量調節ボタンなどを備えてもよい。
【００４３】
このように、第１のタッチスクリーン１１０は、第１の回路基板１２０に対応され、第２のタッチスクリーン２１０は、第２の回路基板２２０に対応される構造により、二つの移動通信端末本体はそれぞれ自体のハードウェアシステムを有し、該移動通信端末に二つのオペレーティングシステムを同時にインストールできる。二つの移動通信端末本体上の二つのオペレーティングシステムは、同じでもよく、違ってもよい。例えば、第１の移動通信端末本体１００に、アンドロイドシステムをインストールして、第２の移動通信端末本体２００に、シンビアンシステムまたはアイオーエスシステムなどをインストールしてもよい。もちろん、第１の移動通信端末本体１００と第２の移動通信端末本体２００に同じオペレーティングシステムをインストールしてもよく、例えば、第１の移動通信端末本体１００と第２の移動通信端末本体２００の両方にいずれもアンドロイドシステムをインストールする。二つのタッチスクリーンがそれぞれ二つのオペレーティングシステムに対応する構造により、該移動通信端末は、二つの伝統的な移動通信端末に相当され、ユーザが携帯する移動通信端末の数量を減らし、使用便利である。
【００４４】
一つの実施可能な形態として、本発明の移動通信端末は、さらに第１の移動通信端末本体１００と第２の移動通信端末本体２００との間に接続される回動接続部（図示せず）を備え、回動接続部は、第１の移動通信端末本体１００または第２の移動通信端末本体２００に対してフリップ（ｆｌｉｐ）可能である。本実施例において、回動接続部は、回転軸またはヒンジであってもよい。第１の移動通信端末本体１００及び第２の移動通信端末本体２００の接続線は、いずれも回動接続部内に位置して、各移動通信端末本体についての電力供給及びデータ処理を実現する。
【００４５】
第１の移動通信端末本体１００が回動接続部を介して第２の移動通信端末本体２００に対して回転する角度は、１８０度以上であり、第１の移動通信端末本体１００が第２の移動通信端末本体２００に対して１８０度回動した場合、第１のタッチスクリーンと第２のタッチスクリーンとは、同一平面上に位置し、第１のタッチスクリーンと第２のタッチスクリーンとは、一体に併合され、メインプロセッサ３００は、第１のタッチ信号または第２のタッチ信号に基づいて、第１の移動通信端末本体１００と第２の移動通信端末本体２００とが同期動作されるように制御する。第１のタッチスクリーン及び第２のタッチスクリーンは、いずれもベゼルレスタッチスクリーンであるので、回転されてスクリーンが並んで配置されると、第１のタッチスクリーン及び第２のタッチスクリーンは、完璧なスクリーン合併を実現することができて、一つの完整なタッチスクリーンに相当され、該移動通信端末の可視面積が１倍に増加される。このとき、該移動通信端末は、全体的に一つのタブレットＰＣに相当されることができる。
【００４６】
または、第２の移動通信端末本体２００が回動接続部を介して、第１の移動通信端末本体１００に対して回転する角度は、１８０度以上であり、第２の移動通信端末本体２００が、第１の移動通信端末本体１００に対して１８０度回動した場合、第１のタッチスクリーンと第２のタッチスクリーンは、同一の平面に位置し、第１のタッチスクリーン及び第２のタッチスクリーンは、一体に合併され、メインプロセッサ３００は、第１のタッチ信号または第２のタッチ信号に基づいて、第１の移動通信端末本体１００と第２の移動通信端末本体２００とが同期動作されるように制御する。第１のタッチスクリーン及び第２のタッチスクリーンは、いずれもベゼルレスタッチスクリーンであるので、回転されてスクリーンが並んで配置されると、第１のタッチスクリーン及び第２のタッチスクリーンは、完璧なスクリーン合併を実現することができて、一つの完整なタッチスクリーンに相当され、該移動通信端末の可視面積が１倍に増加される。
【００４７】
もちろん、他の実施例において、第１の移動通信端末本体１００が第２の移動通信端末本体２００に対して回動する角度が９０度〜１８０度であり、または、第２の移動通信端末本体２００が第１の移動通信端末本体１００に対して回動する角度が９０度〜１８０度である場合に、第１のタッチスクリーンと第２のタッチスクリーンとが一体に併合されることもでき、メインプロセッサは、第１のタッチ信号または第２のタッチ信号に基づいて、第１の移動通信端末本体１００と第２の移動通信端末本体２００が、対応するトリガ動作を同期して実現するように制御する。このとき、第１のタッチスクリーン及び第２のタッチスクリーンは、曲げたタッチスクリーンを形成して、ユーザが実際のニーズに応じて角度範囲を調節し、便利に使用することができる。
【００４８】
一つの実施可能な形態として、第１の移動通信端末本体１００のネットワークタイプは２Ｇ、３Ｇ及び４Ｇを含み、第２の移動通信端末本体２００のネットワークタイプは２Ｇ、３Ｇ及び４Ｇを含む。この時、第１の移動通信端末本体１００は、デュアルスタンバイ（Ｄｕａｌ  Ｃａｒｄ  Ｄｕａｌ  Ｓｔａｎｄｂｙ）移動通信端末本体であり、第２の移動通信端末本体２００もデュアルスタンバイの移動通信端末本体である。この時、本発明の移動通信端末は、２つのＳＩＭカード、３つのＳＩＭカードまたは４つのＳＩＭカードを装着することができるので、ユーザが携帯する移動通信端末の数量をより減らし、使用便利になる。他の実施例において、第１の移動通信端末本体１００と第２の移動通信端末本体２００は、トリプルＳＩＭ（Ｔｒｉｐｌｅ  ＳＩＭ）またはクワドラプルＳＩＭ(Ｑｕａｄｒｕｐｌｅ  ＳＩＭ)の移動通信端末本体であってもよい。
【００４９】
留意すべき点は、素子が他の素子に「固定される」というのは、該素子が直接的に他の素子に位置され、または中間素子が存在することを意味する。素子が他の素子に「接続される」というのは、他の素子に直接的に接続され、又は同時に中間素子が存在することを意味する。
【００５０】
本発明の移動通信端末は、リチウムチタン複合グラフェン電池が電池容量が大きく、放電率が大きく充電が速いなどの特徴を持つので、リチウムチタン複合グラフェン電池を充電電池に使用して、移動通信端末に電力を供給することにより、移動通信端末の充電時間を短縮させるとともに、移動通信端末が高温または高冷状態で長期間使用不可の問題を解決して、該移動通信端末は、軍隊などの特殊な場合に応用できる。また、移動通信端末の環境適応性、通用性、及び耐久性を高めるとともに、お互いに対向して配置される第１の移動通信端末本体及び第２の移動通信端末本体により、該移動通信端末のデュアルスクリーン表示を実現することで、ユーザが携帯する移動通信端末の数量を減らし、使用便利になる。
【００５１】
以上に述べた内容は、ただ本発明の一部の実施形態であり、その説明は、具体的で詳細であるが、本発明を限定しようとするものではない。本技術分野の当業者にとって、本発明の構想を逸脱しない前提の下で、一部の変形と改善を行ってもよく、このような変更や改善も、本発明の保護範囲に属することは自明なものである。したがって、本発明の特許の保護範囲は、添付した特許請求の範囲に準じる。
【図１】
2019522431.tif 000003
【図２】
2019522431.tif 000004
【図３】
2019522431.tif 000005
【図４】
2019522431.tif 000006
【国際調査報告】
2019522431.tif 000007
2019522431.tif 000008
2019522431.tif 000009
2019522431.tif 000010